(57)【特許請求の範囲】
【請求項１】
一端に接触面（７）を有し、複数の光ファイバ（２）を受け入れるコネクタプラグ部（６）と、該コネクタプラグ部をスライド可能に挿入する結合体（１０）と、該結合体を取り囲みかつ該結合体上において、バネ手段（２１）の作用に抗して、結合位置から切り離し位置までスライド可能に配される結合スリーブ（１９）とを具備し、前記コネクタプラグ部が前記接触面を有する端部において前記結合体の外側に突出するマルチファイバコネクタプラグ（１）であって、
前記バネ手段が、少なくとも１つのバネ（２１）よりなり、該バネ（２１）は、前記結合スリーブ（１９）に一体的に形成されてかつその自由端（２２）を前記結合体（１０）の対応する支持肩部（２３）と係合させていることを特徴とするコネクタプラグ。
【請求項２】
前記バネ手段（２１）を有する前記結合スリーブ（１９）が、プラスチック材料よりなり、前記バネ手段が、前記結合スリーブの前記結合位置において無負荷となることを特徴とする請求項１記載のコネクタプラグ。
【請求項３】
前記結合スリーブ（１９）の各バネ（２１）は、実質的に正弦波形状の板材であり、その一側が前記結合スリーブに接合し、他側が自由端となり、該自由端が前記結合体（１０）の前記支持肩部（２３）に係合する直線支持部（２２）によって終端していることを特徴とする請求項１または請求項２記載のコネクタプラグ。
【請求項４】
前記結合体（１０）の各支持肩部（２３）に、前記対応するバネ（２１）の少なくとも一部を実質的に被うリップ（２４）が設けられていることを特徴とする請求項１から請求項３のいずれかに記載のコネクタプラグ。
【請求項５】
前記結合体（１０）および前記結合スリーブ（１９）が、それぞれ実質的に方形状断面を有し、前記バネ（２１）が、前記結合スリーブの相反する二つの側面に設けられ、かつ、前記結合スリーブと一体化されたリップ（２５）が、前記結合スリーブの相反する他の二つの側面に設けられるとともに前記バネと同じ長さにわたって延びていることを特徴とする請求項１から請求項４のいずれかに記載のコネクタプラグ。
【請求項６】
前記リップ（２５）に、斜め外側に延びる操作リップ（２６）が設けられていることを特徴とする請求項５記載のコネクタプラグ。
【請求項７】
前記結合体（１０）が、２つの同一形状のハーフ（１１）よりなることを特徴とする請求項１から請求項６のいずれかに記載のコネクタプラグ。
【請求項８】
キャリアスリーブ（１５）が、前記コネクタプラグ部（６）とは反対側の端部において、前記結合体（１０）に固定され、
前記キャリアスリーブ（１５）が、前記結合体から離れる方向に向かう端部に、前記光ファイバ（２）よりなる光ケーブル（３）の補強被覆（５）のための装着面（１７）を有し、
ブーツ（１８）が、前記補強被覆（５）を締付けながら前記端部に固定されていることを特徴とする請求項１から請求項７のいずれかに記載のコネクタプラグ。
【発明の詳細な説明】
【０００１】
【発明の属する技術分野】
この発明は、一端部に接触面を有し複数の光ファイバを受け入れるためのコネクタプラグ部と、該コネクタプラグ部がスライド可能に挿入される結合体と、該結合体を取り囲み、該結合体上において結合位置から切り離し位置までバネ手段の作用に抗してスライド可能な結合スリーブとを具備し、前記コネクタプラグ部が、その前記接触面を有する端部を前記結合体の外部に突出させている、マルチファイバコネクタプラグに関するものである。
【０００２】
【従来の技術および発明が解決しようとする課題】
この種の公知のコネクタプラグにおいては、バネ手段は、コネクタプラグの組立をむしろ複雑にする別体のバネ部材を具備している。
この発明の目的は、上述した形式の改良されたマルチファイバコネクタプラグを提供することである。
【０００３】
【課題を解決するための手段】
この目的のために、この発明のコネクタプラグは、前記バネ手段が、結合スリーブと一体的に形成された部分であってその自由端を前記結合体の対応する支持肩部に係合させる少なくとも１つのバネを具備することを特徴としている。
この方式において、単純化されたコネクタプラグが得られ、結合体、結合スリーブおよびバネ手段の組立のためには、結合体上において結合スリーブを押すだけでよい。別体のバネの装着はもはや必要ではなく、それによって、製造コストを低減することができる。
好ましい実施形態によれば、バネ手段を有する結合スリーブは、プラスチック材料よりなり、バネ手段は、結合位置において無負荷となる。
【０００４】
【発明の実施の形態】
この発明は、この発明に係るコネクタプラグの実施形態が概略的に示されている図面を参照することによりさらに説明される。
図１は、この発明のマルチファイバコネクタプラグの一実施形態を示す斜視図であり、明確のために、光ファイバは図示されていない。
図２は、図１のコネクタプラグの分解斜視図である。
図３は、光ファイバケーブルが接続された、図１に示すコネクタプラグの軸方向に沿う縦断面図である。
図面を参照すると、多数の光ファイバを相互に接続するための対応するコネクタプラグと、それ自体自明の方法で結合され得るマルチファイバコネクタプラグが示されている。
【０００５】
コネクタプラグ１の光ファイバは、図３において符号２で概略的に示されており、外部被覆４を有する光ファイバケーブル３の部分であり、概略的に示された補強被覆５は、通常、ケブラー（商標）繊維よりなっている。
コネクタプラグ１には、コネクタプラグ部６が設けられ、口出しされた光ファイバ２が取り付けられている。このコネクタプラグ部６も、口輪(ferrule )として示されている。
【０００６】
前記コネクタプラグ部６は、接触面７を有し、前記光ファイバ２は符号８で示されるように前記接触面において終端している。さらに、コネクタプラグ部６は、光ファイバの両側の端部において前記接触面７に抜ける２つの孔を具備し、この場合、この孔内に案内ピン９が据え付けられる。ピン９は、コネクタプラグ１が対応するコネクタプラグ１と結合される場合に対応するコネクタプラグ１の孔に受け入れられる。
【０００７】
コネクタプラグ部６は、２つの同一のハーフ１１を組み立ててなる結合体１０内にスライド可能に受け入れ得られ、コネクタプラグ部６は前記接触面７を有するその端部において結合体の外側に突出している。図３に示されるように、コネクタプラグ部６は、バネ１４によって、結合体１０の内縁部１３に対して縁部１２で押圧される。このバネ１４は、コネクタプラグ部６と２つのロック爪１６により結合体１０内に固定されたキャリアスリーブ１５との間に横たえられている。
【０００８】
キャリアスリーブ１５は、結合体１０とは反対側の端部に、据付面１７を有し、光ファイバケーブル３の補強被覆５が、例えば接着によって前記据付面１７に取り付けられる。
最後に、コネクタプラグ１は、結合体１０の外部に突出しているキャリアスリーブ１５の端部に取り付けられる端スリーブまたはブーツ１８によって閉じられる。この端スリーブ１８は、光ファイバケーブル３の補強被覆５を取り囲む。
【０００９】
コネクタプラグ１は、さらに、前記結合体１０を取り囲みかつ該結合体１０の上で、図１，３に示された結合位置から、図示しない引き出された切り離し位置までスライド可能な結合スリーブ１９を具備している。結合位置では、結合スリーブ１９は、結合体１０の両側に設けられた２つの凹所２０を囲い込む。それ自体自明の方法で、バックパネルアダプタのロック指が、例えば、コネクタプラグ１をアダプタ内に保持するために前記凹所内に係合され得る。コネクタプラグ１の切り離しは、結合スリーブ１９を解放した後にこの結合スリーブを結合位置まで戻すように移動させるバネ手段の作用に抗して引き出される切り離し位置まで結合スリーブ１９をスライドさせることにより可能となる。
【００１０】
図示されたコネクタプラグ１においては、バネ手段は、結合スリーブ１９と一体的に形成された部分であって、結合スリーブ１９とともに単一体を形成する２つのバネ２１を有している。図示された実施形態では、結合体１０および結合スリーブ１９は、主に、方形断面を有し、バネ２１は、一方の相反する２つの長辺側に配置され、コネクタプラグ部６から離れる方向に向かう結合スリーブ１９の端部に接合されている。
【００１１】
この結合スリーブ１９およびバネ２１はプラスチック材料により一体的に形成され、バネ２１は、図に示された結合位置において負荷を無くされる。これらのバネ２１は、結合スリーブ１９の材料に接合する実質的に正弦波形状の板材として形成されている。これらのバネ２１の自由端は、前記結合体１０の対応する支持肩部２３と係合する直線支持部２２として形成されている。各支持肩部２３には、バネ２１の損傷を避けるように、対応するバネ２１を少なくとも実質的に被うカバーリップ２４が設けられている。
【００１２】
これらのバネを保護するために、結合スリーブ１９には、該結合スリーブ１９からバネ２１と等しい長さに沿って延びるリップ２５が、他方の相反する両側部に設けられている。
【００１３】
これらのバネ２１が前記結合スリーブ１９と一体的に形成されているので、結合スリーブ１９と結合体１０との組立は、どちらかといえば簡易な作業であり、バネ２１は自動的に正規の位置に配置される。
【００１４】
さらに、コネクタプラグ１が比較的少ない部品点数よりなることは上述より明らかであり、結合体１０がケーブル３のまわりに単に据え付けられ得る２つのハーフ１１よりなるという点において、光ファイバケーブル３の装着が簡易なものとされる。
【００１５】
この発明は、上述した実施形態に限定されるものではなく、請求の範囲に記載された発明の範囲内において、多くの態様に変形され得るものである。上述したコネクタプラグ１においては、リップ２５には、例えば、端スリーブ１８の方向に外側に向かって斜めに延びる操作リップ２６が設けられる。これらの操作リップ２６は結合スリーブ１９の結合位置から切り離し位置への移動を容易にするものである。
【図面の簡単な説明】
【図１】  この発明のマルチファイバコネクタプラグの一実施形態を示す斜視図である。
【図２】  図１のコネクタプラグの分解斜視図である。
【図３】  光ファイバケーブルが接続された、図１に示すコネクタプラグの軸方向に沿う縦断面図である。
【符号の説明】
１  マルチファイバコネクタプラグ
２  光ファイバ
３  光ケーブル
５  補強被覆
６  コネクタプラグ部
７  接触面
１０  結合体
１１  ハーフ
１５  キャリアスリーブ
１７  装着面
１８  ブーツ
１９  結合スリーブ
２１  バネ手段、バネ
２２  自由端、直線支持部
２３  支持肩部
２４，２５  リップ
２６  操作リップ
【図１】
0003669808.tif 000002
【図２】
0003669808.tif 000003
【図３】
0003669808.tif 000004